(57)【要約】【課題】トリガースプレー容器のトリガースプレー部を覆い、外からトリガーレバーが作動されることを防止する機能を持ち、トリガースプレー容器から脱着しにくく、かつ、トリガースプレー部に簡単に、確実に装着して固定できる新たな包装形態のトリガースプレー容器用カバーを提供すること。【解決手段】液体を収容する容器本体と、キャップ部と、容器本体内の液体を噴射するトリガーレバーと吐出ノズルとボディを有するトリガースプレー部とからなるトリガースプレー容器に装着されるカバーであって、天板と、両側板と、前記吐出ノズルを覆う前板と、ボディの後部突出部を嵌入して保持する後板を有し、前板で前記トリガースプレー部の吐出ノズルを覆い、後板の嵌入孔にボディの後部突出部を嵌入することにより、トリガースプレー容器に脱着困難に装着され固定されることを特徴とするトリガースプレー容器用カバーである。【選択図】図２
2004196386.tif 000002
【特許請求の範囲】
【請求項１】
液体を収容する容器本体と、キャップ部と、前記容器本体内の液体を噴射するトリガーレバーと吐出ノズルとボディを有するトリガースプレー部とからなるトリガースプレー容器に装着されるカバーであって、
天板と、両側板と、前記吐出ノズルを覆う前板と、前記ボディの後部突出部を嵌入して保持する後板を有し、
前記前板で前記トリガースプレー部の前記吐出ノズルを覆い、前記後板の嵌入孔に前記ボディの後部突出部を嵌入することにより、トリガースプレー容器に脱着困難に装着され固定されることを特徴とするトリガースプレー容器用カバー。
【請求項２】
前記天板、前記前板、前記後板には中央に折れ線を設け、各折れ線を内側あるいは外側に折り曲げることによって、平面状に折り畳むことができることを特徴とする請求項１に記載するトリガースプレー容器用カバー。
【請求項３】
前記後板には中央に折れ線を、引き裂きやすくするために、ミシン目、半切れとしたことを特徴とする請求項２に記載するトリガースプレー容器用カバー。
【発明の詳細な説明】
【０００１】
【発明の属する技術分野】
本発明は、トリガースプレー容器の包装部材として、トリガースプレー部に装着されるトリガースプレー容器用カバーに関するものである。
【０００２】
【従来の技術】
容器内の化粧液、整髪料、各種液体洗剤、仕上液、防カビ剤、消毒液、漂白液などの液体組成物を、トリガーレバーを引くことによって吐出ノズルから噴射することができるトリガースプレー容器は従来から多く使用されている。このトリガースプレー容器１は、図８−ａに示すように、概略として、容器本体２と、キャップ部３と、そしてトリガーレバー５、吐出ノズル６、ボディ７を備えたトリガースプレー部４とから構成されている。
【０００３】
従来より、トリガースプレー容器１の製品の包装形態としては、一般的には、トリガースプレー容器１全体を収納する箱が使用されている。この箱では、製品説明、取扱方法などの情報の表示スペースを充分有しており、また、容器の転倒などにより、液体が噴霧されることを防止することができる。
【０００４】
しかしながら、近年の環境保護や省資源の点から、包装材料の使用量をできる限り低減させることが要請され、包装の簡素化が望まれており、このような要請に対しては、トリガースプレー容器１の包装形態として、トリガースプレー部４に被せるスリーブ状のトリガースプレー容器用カバーが使用されている。
【０００５】
【発明が解決しようとする課題】
しかしながら、従来のトリガースプレー容器用カバーでは、図８に示すように、トリガースプレー部４に装着する際に、トリガースプレー部４の後方からトリガースプレー容器用カバーＣを水平方向に押し込み、トリガースプレー容器用カバーＣの底板１８をキャップ部３の前側または後側に設けて、トリガースプレー部４を固定させているために、トリガースプレー容器用カバーＣがトリガースプレー部４から容易に外れてしまうという問題がある。また、トリガースプレー容器用カバーＣの底板１８をキャップ部３の前側および後側の両側に設けた場合、トリガースプレー容器用カバーＣをトリガースプレー部４に取り付けにくくなるという問題がある。
【０００６】
本発明は以上のような課題を解決しようとするものであり、トリガースプレー容器のトリガースプレー部を覆い、外からトリガーレバーが作動されることを防止する機能を持ち、トリガースプレー容器から脱着しにくく、かつ、トリガースプレー部に簡単に、確実に装着して固定できる新たな包装形態のトリガースプレー容器用カバーを提供することを目的とするものである。
【０００７】
【課題を解決するための手段】
上記の目的を達成するために、本発明は、液体を収容する容器本体と、キャップ部と、前記容器本体内の液体を噴射するトリガーレバーと吐出ノズルとボディを有するトリガースプレー部とからなるトリガースプレー容器に装着されるカバーであって、天板と、両側板と、前記吐出ノズルを覆う前板と、前記ボディの後部突出部を嵌入して保持する後板を有し、前記前板で前記トリガースプレー部の前記吐出ノズルを覆い、前記後板の嵌入孔に前記ボディの後部突出部を嵌入することにより、トリガースプレー容器に脱着困難に装着され固定されることを特徴とするトリガースプレー容器用カバーである。
【０００８】
また、前記天板、前記前板、前記後板には中央に折れ線を設け、各折れ線を内側あるいは外側に折り曲げることによって、平面状に折り畳むことができることを特徴とする。
【０００９】
加えて、前記後板には中央に折れ線を、引き裂きやすくするために、ミシン目、半切れとしたことを特徴とするトリガースプレー容器用カバーである。
【００１０】
本発明によれば、トリガースプレー容器の包装形態として、トリガーレバーが露出しないようにトリガースプレー容器のトリガースプレー部を吐出ノズルの前面を含めて包装材で覆い、後板の嵌入孔にボディの後部突出部を嵌入して保持することにより、トリガースプレー部に簡単に、確実に装着して固定でき、外からトリガーレバーが作動されることを防止する機能を持ち、かつ、トリガースプレー容器から脱着しにくく、さらに、製品説明、取扱方法等の情報の表示スペースも十分に確保できる新たな包装形態のトリガースプレー容器用カバーを提供することができるものである。
【００１１】
【発明の実施の形態】
以下に、本発明を図面を用いて、さらに詳しく説明する。なお、幾つかの図面に渡って同一または同様な部分には同一の符号を付与している。
【００１２】
図１は、本発明のトリガースプレー容器用カバーの実施の形態の一実施例のトリガースプレー容器用カバーＡとトリガースプレー容器１を示す斜視図であり、図２は、このトリガースプレー容器用カバーＡをトリガースプレー容器１に装着した状態を示す斜視図である。
【００１３】
図１に示すように、トリガースプレー容器１は、概略として、容器本体２と、キャップ部３と、そしてトリガーレバー５、吐出ノズル６、ボディ７を備えたトリガースプレー部４とから構成されている。
【００１４】
一方、トリガースプレー容器用カバーＡは、板紙などからなるブランクを折り曲げて組み立てて形成されたもので、外観上では、側板１１、前板１２、側板１３、後板１４、天板１７とからなっている。
【００１５】
そして、図２に示すように、このトリガースプレー容器用カバーＡを、上記のトリガースプレー容器１のトリガースプレー部４を覆う形で、図２−ｂに示すように、後板１４の嵌入孔１４ａにボディ７の後部突出部７ａを嵌入して被せている。また、図２−ａに示すように、前板１２で吐出ノズル６（図示されず）を覆うことにより、誤動作による場合でも、前方に噴出することを防ぐことができる。このように、後板１４の嵌入孔１４ａに後部突出部７ａを嵌入して、トリガースプレー容器用カバーＡをトリガースプレー容器１に装着することにより、被せたトリガースプレー容器用カバーＡをトリガースプレー容器１から簡単には外しにくくなり、取り外すには、トリガースプレー容器用カバーＡを破って取り外す必要がある。従って、トリガースプレー容器用カバーＡを破ることができるように、後板１４の中央部に設けた折れ線ｈは、ミシン目などとすることが好ましい。
【００１６】
また、本実施例では、トリガースプレー容器用カバーＡをトリガースプレー容器１を密着して被せるために、図３−ａに示すように、天板１７が水平面状であるのに対して、前板１２が上部が前方に出て後部が後方に引っ込んだ斜面状とし、後板１４も上部が前方に出て後部が後方に引っ込んだ斜面状とし、前板１２と後板１４とがほぼ平行な位置関係としている。従って、側面１１、１３の形状が、上辺と下辺が平行で、側辺同士が平行な平行四辺形となっている。このような形状にすることによって、図３−ｂに示すように、トリガースプレー容器１にトリガースプレー容器用カバーＡを被せて後板１４の嵌入孔１４ａにトリガースプレー容器１のボディ７の後部突出部７ａを嵌入しやすくし、かつ、装着後に、簡単には外れにくくすることができる。
【００１７】
図４は、本発明のトリガースプレー容器用カバーＡのブランクを示す展開図である。ブランク１０Ａでは、側板１１、前板１２、側板１３、後板１４、糊代片１５を折れ線ａ、ｂ、ｃ、ｄを介して順次連設し、側板１１の上辺には天下板１６を折れ線ｅで連設し、側板１３の上辺には天板１７を折れ線ｆで連設している。そして、後板１４には、トリガースプレー部４のボディ７の後部突出部７ａを嵌入する嵌入孔１４ａを四角形の窓状に設けている。
【００１８】
また、本実施例では、側板１１、１３の形状は、側板１１では、折れ線ａと折れ線ｅの角度が鋭角であり、側板１３では、折れ線ｂと折れ線ｆの角度が鋭角である互いに対称な平行四辺形とし、図４において、それぞれの上辺および下辺が、前板１２側が上で、他の側が下となる斜線としている。
【００１９】
また、前板１２、後板１４、天板１７の長さ方向中央には、折れ線ｇ、ｈ、ｉを設けている。組み立てた状態のトリガースプレー容器用カバーＡを、この折れ線ｇ、ｈ、ｉで内側あるいは外側に折り曲げることにより、平面状に折り畳むことができる。さらに、後板１４の折れ線ｈをミシン目、半切れなどとすることが好ましい。この折れ線ｈを引き裂きやすくすることで、使用時に、トリガースプレー容器１からトリガースプレー容器用カバーＡを取り外す際に、トリガースプレー容器用カバーＡをこの折れ線ｈで引き裂いて破くことにより解体することができる。
【００２０】
本発明のトリガースプレー容器用カバーＡは、以上のように構成されたブランク１０Ａからつぎのような手順で組み立てられる。
【００２１】
まず、ブランク１０Ａは、図５−ａに示した状態から、天板１７を折れ線ｆで内側に折り返し、図５−ｂに示すように、その天板１７の半分を折れ線ｉで外側に折り返し、そして、天下板１６を折れ線ｅで内側に折り返し、図５−ｃに示した状態とする。つぎに、後板１４の中央部の折れ線ｈで後板１４を中央で内側に折り曲げ、前板１２の中央部の折れ線ｇで前板１２を中央で内側に折り曲げて、側板１１の裏面に糊代片１５を貼り合わせる。同時に、折り曲げた天板１７と天下板１６とを貼り合わせる。このようにして、折り畳まれた図５−ｄに示した状態の本発明のトリガースプレー容器用カバーＡが組み立てられる。この状態で、使用前の輸送、保管などを行う。この組み立ては、自動製函機で機械的に製造することが可能である。
【００２２】
実際に、本発明のトリガースプレー容器用カバーＡをトリガースプレー容器１に装着するには、まず、図１に示すように、折り畳まれた状態のトリガースプレー容器用カバーＡを起こす。そして、そのトリガースプレー容器用カバーＡをトリガースプレー部４の上側から被せながら、トリガースプレー部４の全体を覆う。この時、図２−ｂに示すように、後板１４の嵌入孔１４ａにトリガースプレー部４のボディ７の後部突出部７ａが嵌入され、タイトな状態でトリガースプレー容器用カバーＡがトリガースプレー部４に装着される。従って、トリガースプレー容器用カバーＡをトリガースプレー容器１に、簡単に、かつ確実に装着することができるが、装着された状態では、トリガースプレー容器用カバーＡがトリガースプレー容器１から簡単に外れることはない。
【００２３】
実際に、トリガースプレー容器１を使用する時には、トリガースプレー容器用カバーＡをトリガースプレー容器１から取り外すが、そのままの状態では外しにくく、トリガースプレー容器用カバーＡの一部を破ることにより取り外す必要がある。そのためには、図６−ａに示すように、後板１４の中央部に設けた折れ線ｈを引き裂くことにより、トリガースプレー容器用カバーＡを解体し、図６−ｂに示すように、トリガースプレー容器用カバーＡをトリガースプレー容器１から簡単に取り外すことができる。
【００２４】
本発明のトリガースプレー容器用カバーは、上記の実施例に限定されるものではなく、例えば、図７に示すような別の実施例のブランク１０Ａのように、側板１１、前板１２、側板１３、後板１４、天板１７の形状を変形することもできる。いずれの場合も、トリガースプレー容器に装着しやすく、かつ、装着後に脱着しにくいように、トリガースプレー容器の形状に合わせてトリガースプレー容器用カバーの形状、サイズを、設定する。
【００２５】
【発明の効果】
本発明のトリガースプレー容器用カバーは、トリガースプレー容器のトリガースプレー部の吐出ノズルの前面を前板で覆い、後板に設けた嵌入孔にボディの後部突出部を嵌入して保持することにより、外からトレガーレバーが作動されることを防止する機能を持ち、トレガースプレー部に簡単に、確実に装着固定でき、かつ、トリガースプレー容器から脱着しにくく、さらに、製品説明、取扱方法等の情報の表示スペースも十分に確保できる新たな包装形態である。
【図面の簡単な説明】
【図１】本発明によるトリガースプレー容器用カバーの一実施例とトリガスプレー容器を示す斜視図である。
【図２】本発明によるトリガースプレー容器用カバーの一実施例をトリガスプレー容器に装着した状態を示す斜視図である。
【図３】本発明によるトリガースプレー容器用カバーの一実施例をトリガスプレー容器に装着した部分の平面図および断面図である。
【図４】本発明によるトリガースプレー容器用カバーの一実施例のトリガースプレー容器用カバーのブランクを示す展開図である。
【図５】本発明によるトリガースプレー容器用カバーの一実施例を組み立てる過程を示す概略図である。
【図６】本発明によるトリガースプレー容器用カバーの一実施例をトリガスプレー容器から取り外す過程を示す斜視図である。
【図７】本発明によるトリガースプレー容器用カバーの別の実施例のブランクを示す展開図である。
【図８】従来のトリガースプレー容器用カバーとトリガースプレー容器の一例を示す斜視図である。
【符号の説明】
Ａ    本発明のトリガースプレー容器用カバー
Ｃ    従来のトリガースプレー容器用カバーの一例
１    トリガースプレー容器
２    容器本体
３    キャップ部
４    トリガースプレー部
５    トリガーレバー
６    吐出ノズル
７    ボディ
７ａ  後部突出部（ボディ）
１０    ブランク（一実施例）
１０Ａ  ブランク（別の実施例）
１１    側板
１２    前板
１３    側板
１４    後板
１４ａ  嵌入孔
１５    糊代片
１６    天下板
１７    天板
１８    底板
ａ〜ｉ  折れ線
【図１】
2004196386.tif 000003
【図２】
2004196386.tif 000004
【図３】
2004196386.tif 000005
【図４】
2004196386.tif 000006
【図５】
2004196386.tif 000007
【図６】
2004196386.tif 000008
【図７】
2004196386.tif 000009
【図８】
2004196386.tif 000010